(57)【要約】光学書込み装置および方法、ならびに光学的に記録可能な媒体にデータを書き込むためのコンピュータ・プログラムが提供される。一実施形態は、光学的に記録可能な媒体上にデータを書き込むための方法である。このような方法の１つは、熱源を使用して、記録可能な媒体上の書込み位置を、記録可能な媒体の書込み閾値温度を下回る温度に予熱すること、および記録位置の温度を、書込み閾値温度を超えて上げることにより、レーザ光源を使用して書込み位置上に書き込むことを含む。
2011507144.tif 000002
【特許請求の範囲】
【請求項１】
入力データ・ストリームを駆動信号に変換するように適合された、エンコーダおよび変調器と、
記録可能な媒体上の書込み位置を、前記記録可能な媒体の書込み閾値温度を下回る温度に予熱するように適合された熱源と、
前記駆動信号を受け取り、前記書込み位置を、前記書込み閾値温度を超えて加熱することにより、前記書込み位置に書き込むためのパルス信号を生成するように適合されたレーザ光源とを備える光学書込み装置。
【請求項２】
前記熱源は、さらなるレーザ光源を備える、請求項１に記載の光学書込み装置。
【請求項３】
前記さらなるレーザ光源はＣＤレーザを備え、前記レーザ光源はＤＶＤレーザを備える、請求項２に記載の光学書込み装置。
【請求項４】
前記熱源は、抵抗性の熱源、対流熱源、およびＬＥＤ源のうちの少なくとも１つを備える、請求項１に記載の光学書込み装置。
【請求項５】
前記熱源は、前記駆動信号によって駆動される、請求項１に記載の光学書込み装置。
【請求項６】
前記熱源および前記レーザ光源を動作させるように構成された制御装置をさらに備える、請求項１に記載の光学書込み装置。
【請求項７】
前記制御装置は、前記レーザ光源がオンになった後に前記熱源をオフにするように構成される、請求項６に記載の光学書込み装置。
【請求項８】
前記さらなるレーザ光源は、連続的な波形を放出して前記書込み位置を予熱する、請求項２に記載の光学書込み装置。
【請求項９】
光学的に記録可能な媒体上にデータを書き込むための、コンピュータ読取り可能な媒体内で実施されるコンピュータ・プログラムであって、
熱源を動作させて、記録可能な媒体上の書込み位置を、前記記録可能な媒体の書込み閾値温度を下回る温度に予熱するように構成されたロジックと、
レーザ光源を動作させて、前記書込み位置の温度を、前記書込み閾値温度を超えて上げることにより、前記書込み位置に書き込むように構成されたロジックとを含むコンピュータ・プログラム。
【請求項１０】
前記熱源は、さらなるレーザ光源を備える、請求項９に記載のコンピュータ・プログラム。
【請求項１１】
前記さらなるレーザ光源は第１のタイプのレーザを備え、前記レーザ光源は第２のタイプのレーザを備える、請求項９に記載のコンピュータ・プログラム。
【請求項１２】
前記第１のタイプのレーザはＣＤレーザを備え、前記第２のタイプのレーザはＤＶＤレーザを備える、請求項１１に記載のコンピュータ・プログラム。
【請求項１３】
前記熱源および前記レーザ光源は、ＣＤレーザ、ＤＶＤレーザ、およびブルーレイ・レーザから選択される、請求項９に記載のコンピュータ・プログラム。
【請求項１４】
前記さらなるレーザ光源は、連続波形のレーザ信号を放出し、前記レーザ光源はパルス信号を放出する、請求項９に記載のコンピュータ・プログラム。
【請求項１５】
前記コンピュータ・プログラムは、エンコーダおよび変調器内で実施され、前記熱源および前記レーザ光源は、符号化され変調された駆動信号によって駆動される、請求項９に記載のコンピュータ・プログラム。
【請求項１６】
前記熱源は、抵抗性の熱源、対流熱源、およびＬＥＤ源のうちの少なくとも１つを備える、請求項９に記載のコンピュータ・プログラム。
【請求項１７】
光学的に記録可能な媒体上にデータを書き込むための方法であって、
熱源を使用して、記録可能な媒体上の書込み位置を、前記記録可能な媒体の書込み閾値温度を下回る温度に予熱するステップと、前記書込み位置の温度を、前記書込み閾値温度を超えて上げることにより、レーザ光源を使用して、前記書込み位置上に書き込むステップとを含む方法。
【請求項１８】
前記熱源は、さらなるレーザ光源を備え、前記書込み位置を予熱する前記ステップは、前記レーザ光源と連携する駆動信号を用いて前記さらなるレーザ光源を駆動することを含む、請求項１７に記載の方法。
【請求項１９】
前記熱源は、抵抗性の熱源、対流熱源、レーザ光源、およびＬＥＤのうちの少なくとも１つを備える、請求項１７に記載の方法。
【請求項２０】
前記書込み位置を予熱する前記ステップ、および前記書込み位置上に書き込む前記ステップは、少なくとも部分的には同時に実行される、請求項１７に記載の方法。
【発明の詳細な説明】
【背景技術】
【０００１】
典型的な光学書込み装置、および光ディスクに書き込むための一般的なプロセスが図１に示してある。記録可能な光ディスク上にデータを記録するためのプロセスは、たとえばエンコーダおよび変調器を用いて、デジタル情報の入力ストリームをレーザ光源用の駆動信号に変換することを必要とする。レーザ光源は、極めて強い光ビームを放出し、この光ビームは、照明光学装置を用いて、記録可能な光ディスクの表面上に向けて送られ集束される。この表面が走査スポットの下を移動するとき、極めて強い走査スポットからのエネルギーが吸収され、小さい局所領域の温度が上昇する。記録可能な光ディスクの表面は、熱的な書込み閾値を超える熱の影響のもとで、その反射特性を変化させ、それにより光ディスクにデータを「書き込む」すなわち記録する。この極めて強い光ビームの変調は、駆動信号と同期しており、表面が回転するにつれて、データ・マークの円形トラックが形成される。走査スポットは、表面が回転するにつれてわずかに移動して、次に回転する間に、新しい媒体上に別のトラックを書き込むことができるようにする。
【０００２】
この光学書込みプロセスは、熱プロセスを含む。回転する光ディスク上にデータを書き込むためには、レーザを比較的ハイパワーのレベルでパルス化しなければならない。比較的ハイパワーのパルスの持続時間は、表面に書き込まれるデータ・マークの長さを決定する。媒体は感熱性を有する（すなわち、媒体は熱的な閾値を示す）ので、レーザ書込みが可能である。この熱的な閾値は、熱的な書込み閾値を規定する。熱的な閾値を下回る場合、媒体特性が著しく変化することはない。熱的な閾値を超えると、媒体内に物理変化が生じる。
【０００３】
実際には、光ディスクの、所期の書込み位置のまわりの領域に対するレーザの影響を制御し、かつ／または最小限に抑えるのは難しいことがある。光ディスク上の書込み位置または書き込んでいる位置のみを加熱することが望ましい。しかし、レーザ・パルスは書込み位置に集束され、光ディスクは回転しているので、光ディスクの表面上の温度は、走査の方向に沿って、またパルスの中心から外れるに従って変化する。これにより、光ディスクの表面上に、等温線と呼ばれる一定温度のラインが生成される。動作にあたっては、等温線は走査方向に広がり、より温度の高い等温線はパルスの中心に近く、より温度の低い等温線は中心からさらに外れる。熱は蓄積し、走査に垂直な方向に拡散するという事実により、パルスの終わりでは、パルスの始まりよりも幅の広い等温線が生成される。熱焦点ぼけと呼ばれるこの効果は、補正されない場合には、特に磁気光学システムにおいては重要な問題となることがある。
【０００４】
レーザ・パルスによって加熱されている局所的な書込み位置とその周囲ディスク温度との間の温度勾配が大きくなるほど、熱焦点ぼけが大きくなる。光学記録装置の傾向は、ますますハイパワーになるレーザを使用して、速くなる一方の書込み速度に対する顧客の要求に対処することである。しかし、よりハイパワーのレーザを使用することにより、熱焦点ぼけの問題がさらに深刻になる。熱焦点ぼけの問題を解決するための既存の試みは、レーザ・パルスの諸特性を変化させることに焦点を当ててきた。たとえば、所与のレーザ・パルスの強度は、パルス持続時間の終わりで低下するように時間変化させることができる。パルス強度を低下させることにより、熱焦点ぼけを低減させることができる。パルス特性を調整して熱焦点ぼけを制御することには、限界がある。パルス特性への微調整を行う書込み方針制御電子装置は、より速い書込み速度、およびより高い書込み密度により、次第に負担が重くなりつつある。ＣＤ書込み処理については、書込み形状は十分に長く、レーザ・パルス特性を調整することが可能である。しかし、ＤＶＤ、ＨＤ−ＤＶＤ、ブルーレイなどの、より高密度の記憶プロセスでは、パルス特性を調整することは、ますます難しくなっている。また、たとえば磁気光学プロセスなどの次世代プロセスにおいては、パルス特性を調整できる可能性はさらに減少する。現行の光学書込み製品において、レーザ・パルスの調整が限界に達し、書込みレーザ・パワーの大きさが最大限度に近づくという不利な点を合わせて考えると、熱焦点ぼけの問題に対する新規のソリューションが必要であることを示している。
【発明の概要】
【課題を解決するための手段】
【０００５】
光学書込み装置および方法、ならびに光学的に記録可能な媒体にデータを書き込むためのコンピュータ・ソフトウェアの様々な実施形態が提供される。一実施形態は、入力データ・ストリームを駆動信号に変換するように適合されたエンコーダおよび変調器と、記録可能な媒体上の書込み位置を、記録可能な媒体の書込み閾値温度を下回る温度に予熱するように適合された熱源と、駆動信号を受信しパルス信号を生成して、書込み閾値温度を超えて書込み位置を加熱することにより書込み位置上に書き込むように適合されたレーザ光源とを備える、光学書込み装置である。
【０００６】
他の実施形態は、光学的に記録可能な媒体上にデータを書き込むための方法である。このような方法の１つは、熱源を使用して、記録可能な媒体上の書込み位置を、記録可能な媒体の書込み閾値温度を下回る温度に予熱すること、および、レーザ光源を使用して、書込み閾値温度を超えて記録位置の温度を上げることにより、書込み位置上に書き込むことを含む。
【０００７】
さらなる実施形態は、光学的に記録可能な媒体上にデータを書き込むための、コンピュータ読取り可能な媒体内で実施されるコンピュータ・プログラムである。このようなコンピュータ・プログラム１つは、熱源を動作させて、記録可能な媒体上の書込み位置を、記録可能な媒体の書込み閾値温度を下回る温度に予熱するように構成されたロジックと、レーザ光源を動作させて、書込み位置の温度を、書込み閾値温度を超えて上げることにより、書込み位置上に書き込むように構成されたロジックとを含む。
【図面の簡単な説明】
【０００８】
【図１】既存の光学書込み装置、および光ディスクに書き込むための関連するプロセスの一例を組み合わせた透視図／流れ図である。
【図２】書込み位置を予熱することにより、記録可能な媒体上にデータを書き込むための、光学書込み装置のいくつかの実現可能な実施形態のうちの１つのブロック図である。
【図３】書込み位置を予熱することにより、光学的に記録可能な媒体上にデータを書き込むための方法のいくつかの実現可能な実施形態のうちの１つを示す流れ図である。
【図４】書込み位置を予熱することにより、光学的に記録可能な媒体上にデータを書き込むためのコンピュータ・システムのいくつかの実現可能な実施形態のうちの１つを示すブロック図である。
【図５】図４の予熱システムのいくつかの実現可能な実施形態のうちの１つの、アーキテクチャ、動作、および／または機能を示すブロック図である。
【発明を実施するための形態】
【０００９】
書込み位置を予熱することにより、記録可能な媒体上にデータを書き込むための、光学書込み装置および関連する方法、ならびにコンピュータ・ソフトウェアの様々な実施形態を、図２〜５を参照しながら以下に述べる。しかし、最初に、記録可能な媒体を予熱することによりデータを書き込むための方法の、例示的で非限定的な実施形態の基本的な動作を簡潔に述べることにする。
【００１０】
光媒体上にデータを記録または書込みするための、熱源および少なくとも１つのレーザ光源を有する、任意の光学的な記録または書込みの装置またはシステムにおいて、この例示的な方法を実施してもよい。光媒体にデータを書き込むプロセスを指すのに、用語「書込み」および「記録」を区別なく使用してもよいことを理解すべきである。一実施形態では、この方法は、熱源および少なくとも１つのレーザ光源を有する光学書込み装置内で実施される。熱源は、それ自体レーザ光源を備えてもよく、または別法として、抵抗性の熱源、対流熱源、またはＬＥＤを備えてもよい。他の実施形態では、光媒体を予熱するための熱源はＣＤレーザを備え、データを書き込むためのレーザ光源はＤＶＤレーザを備える。予熱プロセスまたは書込みプロセスを実行するためのレーザ光源は、使用してもよい他のいかなる望ましいレーザ光源（たとえば、ＨＤ−ＤＶＤおよびブルーレイ製品で使用されている青色または紫外線レーザ・ダイオード、次世代光記憶装置向けのエバネッセント光源（evanescent source）、フライング・ヒート又はヘッド・オプティクス（flying heat or head optics）など）を備えてもよいことが、当業者には理解されよう。
【００１１】
前述の通り、また以下でより詳細に述べるように、記録可能な媒体にデータを書き込むプロセスは、記録可能な媒体上でデータ・マークを露出することを含む。デジタル情報の入力ストリームは、エンコーダおよび変調器を用いて変換して、レーザ光源用の駆動信号にしてもよい。レーザ光源は光ビームを放出し、この光ビームは、感熱性の記録可能な媒体の表面上に向けられ集束される。レーザは、記録可能な媒体の反射特性を変更することにより、記録可能な媒体にデータを書き込む。熱的な書込み閾値を下回っていると、記録可能な媒体の特性は変化しない。しかし、記録可能な媒体の温度が熱的な書込み閾値に達すると、物理的な変化が生じ、その結果、記録可能な媒体にデータが書き込まれる。
【００１２】
一般に、例示的な方法は、書込み機能を実行するためのレーザ光源、および書込みレーザを始動するのに先立って記録可能な媒体を予熱するための熱源（または、別のレーザ光源）を使用する。予熱プロセスは、書込み機能についてレーザ光源を用いる前に、記録可能な媒体の温度を、臨界の書込み閾値を下回る望ましい温度にまで上げるように設計されている。予熱プロセスは、光ディスク全体を加熱することにより、または別法として、記録可能な媒体が回転しているときに書込み位置を予熱することにより、実行してもよい。さらなる実施形態では、予熱プロセスおよび書込みプロセスは、書込みプロセスを最適化するための駆動信号によって制御してもよい。この点に関しては、レーザ光源は、駆動信号によって駆動されてもよく、熱源（たとえば、別のレーザ光源）は、調整された振幅を有する同じ信号で駆動されてもよい。記録可能な媒体を予熱することにより、書込み領域と周囲のディスク領域との間の温度勾配は低減されることがある。温度勾配が低減することにより、書込み機能に対して、よりローパワーのレーザ・パルスを使用してもよいことが、当業者には理解されよう。考えられる熱焦点ぼけの影響を低減することに加えて、よりローパワーのレーザ・パルスは、書込み機能の分解能を改善する可能性がある、より安定な光特性を実現することがある。ローパワーのレーザ・パルスを使用する自由により、書込みレーザの信頼性およびライフ・サイクルが改善する可能性もあることが、当業者にはさらに理解されよう。
【００１３】
図２は、予熱プロセスにより記録可能な媒体１０２に書き込むための、光学書込み装置１００の一実施形態を示す。光学書込み装置１００は、少なくとも１つの熱源、および少なくとも１つのレーザ光源を備える。図２に示した実施形態では、光学書込み装置１００は、記録可能な媒体１０２に書き込むための２つのレーザ光源（たとえば、ＣＤレーザ１０４およびＤＶＤレーザ１０６）を備える。記録可能な媒体１０２には、任意の適切な感熱性を有する記録可能な光ディスクが含まれ得る。たとえば、記録可能な媒体１０２には、以下の任意の、または他のタイプの光ディスク、すなわち、ＣＤ、ＤＶＤ、ＨＤ−ＤＶＤ、ブルーレイ、磁気光学、およびエバネッセントが含まれ得ることを理解すべきである。光学書込み装置１００は、ビーム・スプリッタ１０８、照明光学装置（たとえば、レンズ１１０）、１つまたは複数のアクチュエータ１１２、光検出器１１４、プロセッサまたは制御装置１１６、および関連するモータ（図示せず）を有するスピンドル１１８をさらに備える。
【００１４】
図２に示すように、ビーム・スプリッタ１０８は、動作中のレーザ光源（ＣＤレーザ１０４またはＤＶＤレーザ１０６）からのレーザ信号を受け、これらの信号を、照明光学装置１１０を介して記録可能な媒体１０２の表面上に導くように配置される。ビーム・スプリッタ１０８は、たとえば、１つまたは複数のプリズム、１つのミラー・プリズム、または１つのハーフ・ミラーを備えてもよい。データが記録可能な媒体１０２に書き込まれるとき、エンコーダおよび変調器（図示せず）を用いて、入力データ・ストリームを変換して、レーザ光源用の駆動信号を得る。レーザ光源は光ビームを放出し、この光ビームは、記録可能な媒体１０２の表面上に導かれ、集束される。前述の通り、レーザは、書込み位置を、熱的な書込み閾値を超えて加熱することにより、記録可能な媒体１０２にデータを書き込む。
【００１５】
記録可能な媒体１０２からデータを読み取っているときには、光検出器１１４が使用される。読取りモードでは、その熱的な書込み閾値を超えてデータ表面を加熱することのない一定の出力パワー・レベルで、レーザ光源を使用してもよい。レーザ光源は、ビーム・スプリッタ１０８を介して照明光学装置１１０に送られ、この装置でビームは表面上に集束される。読み取られるデータ・マークが走査スポットの下を通過するとき、反射光（参照番号１２０）が変調され、照明光学装置１１０によって集光され、ビーム・スプリッタ１０８によって光検出器１１４に送られる。光検出器１１４は、光変調を電流変調に変換し、電流変調は増幅され復号化されて出力データ・ストリームを生成してもよく、出力データ・ストリームはプロセッサ／制御装置１１６によって処理されて、データを読み取り、かつ／または、１つもしくは複数のアクチュエータ１１２を制御して、スピンドル１１８もしくは照明光学装置１１０の回転を制御する。
【００１６】
プロセッサ／制御装置１１６は、光学書込み装置１００を動作させ、読取り機能および書込み機能を実行するように構成されたロジックを備える。書込み機能を実施するのに使用される予熱機能以外の、光学書込み装置１００の様々な機能および動作は説明しない。光学書込み装置１００は、様々なコンピュータの装置、製品またはシステムに実装されてもよいことが、当業者には理解されよう。一実施形態では、光学書込み装置１００は、ＤＶＤレコーダなどのスタンドアロンの光学記録装置を備える。他の実施形態では、光学書込み装置１００は、別のコンピュータ（たとえば、パーソナル・コンピュータ、ラップトップ・コンピュータ、デスクトップ・コンピュータなど）と一体化されてもよい。
【００１７】
図３は、書込み位置を予熱することにより書込み機能を動作させる方法の、いくつかの実現可能な実施形態のうちの１つを示す。残りの説明において、熱源が１つのレーザ光源を備え、書込み機能が別のレーザ光源によって実行されるマルチレーザの実施形態に関して、熱源およびレーザ光源について説明する。ブロック２０４において、プロセッサ／制御装置１１６は書込み機能を開始する。ブロック２０６において、レーザ光源のうちの１つがオンになって、記録可能な媒体１０２上の書込み位置を予熱する。図３の例では、書込み位置を予熱するためにＣＤレーザ１０４が使用され、記録可能な媒体１０２にデータを書き込むためにＤＶＤレーザ１０６が使用される。書込み位置は、熱的な書込み閾値を下回る温度に予熱される。予熱条件が満たされると、ＣＤレーザ１０４をオフにし、ブロック２０８でＤＶＤレーザ１０６をオンにしてもよい。代替実施形態では、ＣＤレーザ１０４がオフになってからＤＶＤレーザ１０６がオンになるまでの期間に温度が低下するのを防止するため、ＣＤレーザ１０４がオンになっている間に、ＤＶＤレーザ１０６をオンにしてもよい。前述の通り、予熱は、書込みプロセスと同時に、またはそれに先だって実行してもよい。書込み機能は、ＤＶＤレーザ１０６で通常行われているように（たとえば、レーザ・パルスを用いて）実行してもよい。しかし、データを書き込む前に、または書込み機能を実行するレーザ以外の熱源で書込み位置を加熱する前に書込み位置を予熱することにより、温度勾配の低減を実現してもよく、またローパワーのレーザ・パルスを実装してもよく、それにより熱焦点ぼけを低減できることが、当業者には理解されよう。記録可能な媒体１０２に追加のデータを書き込む場合（判定ブロック２１０）、スピンドル速度、スレッド位置、および／または照明光学装置を調整し（ブロック２１４において）、次いでブロック２０６においてプロセスを繰り返してもよい。書込みプロセスが完了すると、ブロック２１２においてプロセスが終了する。
【００１８】
予熱プロセスは、ソフトウェア、ハードウェア、ファームウェア、またはそれらの組合せで実装してもよいことが、当業者には理解されよう。一実施形態では、図４に示すように、メモリ３０４内に記憶され、適切な命令実行システム（プロセッサ３０２）によって実行されるソフトウェアまたはファームウェア内に、予熱プロセスを実装してもよい。図４に示すように、メモリ３０４は、書込みモジュール３０８と連携する他のロジックとともに動作してもよい予熱システム３０６を備えてもよい。予熱システムは、書込みモジュールの一部分として、または別個のモジュールとして実装してもよいことを、さらに理解すべきである。図４でさらに示すように、プロセッサ３０２は、ローカル・インターフェースを介して、メモリ３０４、ならびに光学書込み装置１００のその他の構成部品とインターフェースをとってもよい。ソフトウェアまたはファームウェアの実施形態では、予熱システム３０６は、任意の適切なコンピュータ言語で書いてもよい。既存の光学書込み装置は、適切なロジックでアップグレードして、予熱システム３０６を実装してもよいことを理解すべきである。たとえば、アップグレードは、メモリ３０４内にある読取り専用メモリへのファームウェアのアップグレードとして実現してもよい。ハードウェアの実施形態では、予熱システム３０６は、そのすべてが当技術分野でよく知られている、以下のもしくは他の技術のいずれかまたはその組合せで実装してもよい。すなわち、データ信号に論理機能を実施するための論理ゲートを有する１つまたは複数の個別の論理回路、適切な組合せ論理ゲートを有する特定用途向け集積回路（ＡＳＩＣ）、１つまたは複数のプログラマブル・ゲート・アレイ（ＰＧＡ）、フィールド・プログラマブル・ゲート・アレイ（ＦＰＧＡ）などの技術である。
【００１９】
図５は、予熱システム３０６のいくつかの実現可能な実施形態のうちの１つの、アーキテクチャ、動作、および／または機能を示す。ブロック４０４において、予熱システム３０６は書込み機能を開始する。前述の通り、光学書込み装置１００は、２つ以上のレーザ光源を備えてもよい。したがって、予熱システム３０６は、適切なロジック（ブロック４０６）で構成して、書込み機能を実行するための適切な書込みレーザを決定し、またはそうでなければユーザが選択できるようにしてもよい。ブロック４０８において、予熱を実行するための適切な非書込みレーザが決定される。ブロック４１０において、非書込みレーザを連続波形で動作させて、熱的な書込み閾値近くの温度に書込み位置を予熱してもよい。ブロック４１２において、よりローパワーのパルスで書込みレーザを動作させて（温度勾配を低減させるために）、書込み位置に書き込んでもよい。追加の書込み位置が存在する場合（判定ブロック４１４）、ブロック４１８において、スピンドル速度、スレッド位置、および／または照明光学装置を、次の書込み位置に対して調整し、フローはブロック４０６、４０８、または４１０に戻ってもよい。
【００２０】
図３および図５に関連するプロセスの記述またはブロックは、モジュール、セグメント、ロジック、またはコードの各部分を表しており、これらは、プロセス中の論理機能またはステップを実施するための１つまたは複数の実行可能な命令を含むことが、当業者には理解されよう。当業者には理解されるように、任意の論理機能は、必要とされる機能に応じて、実質的に同時にまたは逆の順序でなど、示したまたは議論した順序から外れた順序で実行されてもよいことを、さらに理解すべきである。
【００２１】
さらに、予熱システム３０６は、コンピュータ・ベースのシステム、プロセッサ内蔵システム、または、命令実行のシステム、装置、もしくはデバイスから命令をフェッチし、その命令を実行することができる他のシステムなどの、命令実行のシステム、装置またはデバイスによって、またはそれらとともに使用するために、任意のコンピュータ読取り可能な媒体で実施してもよい。本書の文脈においては、「コンピュータ読取り可能な媒体」は、命令実行のシステム、装置、またはデバイスによって、またはそれらとともに使用するために、プログラムを包含、記憶、伝達、伝搬、または移送することができる任意の手段とすることができる。コンピュータ読取り可能な媒体は、たとえば、電子、磁気、光学、電磁、赤外線、もしくは半導体のシステム、装置、デバイス、または伝搬媒体とすることができるが、それらだけには限定されない。コンピュータ読取り可能な媒体のより具体的な例（非包括的なリスト）には、以下のものが含まれることになる。すなわち、１本または複数本のワイヤを有する電気接続（電子）、ポータブル・コンピュータ・ディスケット（磁気）、ランダム・アクセス・メモリ（ＲＡＭ）（電子）、読取り専用メモリ（ＲＯＭ）（電子）、消去可能プログラマブルＲＯＭ（ＥＰＲＯＭまたはフラッシュ・メモリ）（電子）、光ファイバ（光）、およびポータブル・コンパクト・ディスク読取り専用メモリ（ＣＤＲＯＭ）（光）である。プログラムは、たとえば紙または他の媒体を光学的に走査して電子的に取り込み、次いでコンパイルし、解釈実行し、または必要ならば適切に他の方法で処理し、次いでコンピュータのメモリに記憶することができるので、コンピュータ読取り可能な媒体は、プログラムが印刷されている紙または他の適切な媒体とすることさえできるはずであることに留意されたい。
【００２２】
本開示は、本発明の原理および概念を実証するために、１つまたは複数の例示的なもしくは記述された実施形態に関して提示されてきたことに留意されたい。本発明は、これらの実施形態に限定されない。当業者には理解されるように、本明細書においてなされた説明に鑑み、本明細書で説明した各実施形態に多くの変更を加えてもよく、こうした変更のすべては、本発明の範囲内である。
【図１】
2011507144.tif 000003
【図２】
2011507144.tif 000004
【図３】
2011507144.tif 000005
【図４】
2011507144.tif 000006
【図５】
2011507144.tif 000007
【国際調査報告】
2011507144.tif 000008